(57)【要約】【課題】患者が被る脳卒中のタイプの診断を助けるための診断または治療装置ならびに脳卒中診断方法を提供する。【解決手段】少なくとも１つの画像化モダリティと、  画像化モダリティのデータから画像を描くように構成されたプロセッサ、患者の動きを検出するセンサ、患者の動きの影響について画像を補正するように構成されたプロセッサ、患者モニタ、血糖分析装置、血液分析装置、画像融合ユニット、コンピュータおよび患者データを入力するためのインターフェイス、の内から選択された２つ以上の装置とを含み、画像化モダリティと前記２つ以上の装置とがデータインターフェイスを利用して通信を行う。【選択図】図１
2008073523.tif 000002
【特許請求の範囲】
【請求項１】
少なくとも１つの画像化モダリティと、
画像化モダリティのデータから画像を描くように構成されたプロセッサ、
患者の動きを検出するセンサ、
患者の動きの影響について画像を補正するように構成されたプロセッサ、
患者モニタ、
血糖分析装置、
血液分析装置、
画像融合ユニット、
コンピュータおよび患者データを入力するためのインターフェイス
の内から選択された２つ以上の装置と
を含み、画像化モダリティと前記２つ以上の装置とがデータインターフェイスを利用して通信を行う
ことを特徴とする診断または治療装置。
【請求項２】
画像化モダリティはＣアーチＸ線装置であることを特徴とする請求項１に記載のユニット。
【請求項３】
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波画像化モダリティのうちの１つ又はそれ以上から選択されることを特徴とする請求項１に記載のユニット。
【請求項４】
患者モニタは、心電図（ＥＣＧ）、呼吸数、血圧または血液酸素飽和度（ＳｐＯ2）のうちの少なくとも１つを測定するように構成されていることを特徴とする請求項１に記載のユニット。
【請求項５】
画像融合ユニットは、画像セグメンテーション処理、患者の動きの補正処理、または、複数の画像化モダリティからの画像の融合処理のうち少なくとも１つの処理を実施するように構成されていることを特徴とする請求項１に記載のユニット。
【請求項６】
さらに、ローカルエリアネットワークまたは広域ネットワークとのデータインターフェイスが含まれることを特徴とする請求項１に記載のユニット。
【請求項７】
画像化モダリティのデータから画像を描くように構成されたプロセッサと、
患者の動きを検出するセンサと、
患者の動きの影響について画像を補正するように構成されたプロセッサと、
患者モニタと、
血糖分析装置と、
血液分析装置と、
画像融合ユニットと
から選択された３つ以上の装置が含まれることを特徴とする請求項１に記載のユニット。
【請求項８】
検査台上に患者を位置決めするステップと、
患者を識別するステップと、
患者モニタのセンサを取り付け患者パラメータを測定して記録するステップと、
画像化モダリティを利用して患者の一部のコンピュータ断層撮影画像を得るステップと、
患者の少なくとも一部の画像を再構成するステップと、
モニタまたはプロジェクタによって画像を表示するステップと
を含むことを特徴とする脳卒中診断方法。
【請求項９】
画像化モダリティはＣアーチＸ線装置であることを特徴とする請求項８に記載の方法。
【請求項１０】
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波装置のうちの少なくとも１つであることを特徴とする請求項８に記載の方法。
【請求項１１】
さらに、患者の動きの影響について画像化モダリティからの画像化データを補正することを特徴とする請求項８に記載の方法。
【請求項１２】
さらに、血液値およびマーカを測定する、あるいは、アクセス可能メモリに既に記憶されているそのようなデータを検索することを特徴とする請求項８に記載の方法。
【請求項１３】
さらに、画像化モダリティから得られた画像データをセグメント化することを特徴とする請求項８に記載の方法。
【請求項１４】
さらに、センサによって得られたデータを通信ネットワークを介して伝送することを特徴とする請求項８に記載の方法。
【請求項１５】
データが、搬送波上の情報を変調することによって伝送されることを特徴とする請求項１４に記載の方法。
【請求項１６】
患者識別情報を受信し、
患者に取り付けられたセンサから得られた患者パラメータを測定して記録し、
超音波を用いる第１の画像化モダリティから画像データを受信し、
電磁放射を用いる第２の画像化モダリティから画像データを受信し、
補正された受信画像データから患者の少なくとも一部の画像を再構成し、
モニタまたはプロジェクタによって画像を表示する
ように構成されたプロセッサを設けるステップが含まれていることを特徴とする脳卒中診断方法。
【請求項１７】
電磁放射を用いる第２の画像化モダリティがＣアーチＸ線装置であることを特徴とする請求項１６に記載の方法。
【請求項１８】
プロセッサが、マシン可読媒体に記憶された命令によって構成されることを特徴とする請求項１６に記載の方法。
【請求項１９】
さらに、センサから受信したデータを通信ネットワークを介して伝送することを特徴とする請求項１６に記載の方法。
【請求項２０】
さらに、患者の動きに関する情報を受信し、患者の動きについて画像データを補正することを特徴とする請求項１６に記載の方法。
【請求項２１】
データが、搬送波上の情報を変調することによって伝送されることを特徴とする請求項１９に記載の方法。
【発明の詳細な説明】
【技術分野】
【０００１】
本発明は、患者が被る脳卒中のタイプの診断を助けるための装置および方法に関する。
【背景技術】
【０００２】
脳卒中は最も一般的で重大な血管障害である。世界的に見て、脳卒中として知られる症候群は死亡原因のうちの第２位である。患者およびその血縁者の両方にとって、脳卒中は広範囲にわたる負担を意味する。病後一年の時点で、日々の活動に制約がない者は脳卒中の生存者の約４０％だけである。３時間の治療時間枠内に緊急治療室に到着した患者は脳卒中に特有の神経系の問題が生じた患者の半分だけであった。
【０００３】
脳卒中は危険因子に起因し、この危険因子には制御可能なものもあれば、制御不可能なものもある。血管障害（脳卒中、心臓麻痺、動脈硬化）に関する危険因子は互いに影響を及ぼし、この有害な相互作用によって、総合的な危険度が高まることになる。医療費は、変えることが可能な危険因子の予防的減少によって、また、例えば、虚血性脳卒中の場合、脳卒中後３時間以内にｒＴＰＡ（遺伝子組換え型組織プラスミノーゲン活性化因子）を用いた血栓溶解治療を施すといった、迅速な治療によって抑制することが可能である。
【０００４】
患者が病院に収容されると、医療スタッフは、診断および治療の次のステップを決定するため、データおよび既往歴（患者自身が述べる完全な病歴）を収集する。この評価によって、その症状が脳卒中に起因し、低血糖または他の何らかの神経障害のような系統的疾患に起因していない可能性があるという疑いを確かめることができる。
【０００５】
さらに、緊急治療室において、関連する心不整を排除するためのＥＣＧ、深刻な狭窄または閉塞を検出するための頚動脈のソノグラム、および、各種臨床検査を含む初期診断がなされる。例えば、脳卒中の症状と同様の症状が、血糖値および電解質値の変化のせいにされる可能性もある。肝不全また腎不全における代謝の変化でさえ、同様の症状を発生する可能性がある。さらに、臨床試験によって、血球および血液凝固系の状態に関する情報が得られる。
【０００６】
脳卒中の場合、虚血型（脳梗塞）と出血型（脳出血）との区別がなされる。両方とも、脳への血液供給が妨げられ、そのために神経細胞が死ぬことになる。虚血性脳卒中は、閉塞、すなわち脳動脈が塞がることによって生じる。動脈は、血栓すなわち血塊によって、あるいは、塞栓すなわち体内の別の位置から移動した小さい凝集塊によって詰まることがある。全脳卒中患者のうち約３／４が虚血性脳卒中を患っている。出血性脳卒中は血管からまわりの脳組織に血液が漏出する脳内出血によって生じる。神経細胞の死をもたらす血液供給の中断以外に、血液の集積によって、脳組織に対する圧力も高まり、神経細胞の死をさらに早める。脳卒中患者の約１／４が出血性脳卒中を患っている。
【０００７】
２つの脳卒中タイプの治療形態はかなり異なる。虚血性脳卒中の場合、血行を促進しなければならないが、出血性脳卒中の場合、出血を止めなければならない。虚血性脳卒中の場合、これは、ｒＴＰＡ（遺伝子組換え型組織プラスミノーゲン活性化因子）を用いた血栓溶解治療によって最も有効に行われる。しかしながら、このタイプの治療は出血性脳卒中には禁忌である。
【０００８】
出血性脳卒中の場合、頭蓋骨内の圧力を低下させるために、穿刺によって脳から血液を除去することが可能である。破裂した動脈瘤からの出血の場合、外科的侵襲が必要になることがある。出血性脳卒中の治療には、脳圧力を測定するためにプローブを埋め込むだけではなく、圧力除去穿孔術またはシャントの移植を施すことも必要になる。場合によっては、血液凝固を促進する薬剤を用いて出血を減らすか止めることも可能である。クモ膜下出血または破裂した脳動脈瘤からの出血の場合、控えめな治療法の選択肢だけではなく、金属クリップで留めることによって破裂した動脈瘤からの出血源を閉じることを意図した早期手術、または遅延手術のような脳外科的侵襲も利用される。
【０００９】
現在用いられている治療方針およびガイドラインの場合、病歴審査および身体検査に続いて、虚血性脳卒中を検出し出血性脳卒中を排除するためにＣＴスキャンが実施される。
【００１０】
既知の治療方針には欠点がある。出血性脳卒中の患者の場合、ＣＴスキャンを施すと、かなりの時間が浪費され、その後さらに出血を止めるために外科的または脳外科的侵襲室に患者を輸送しなければならない。ＣＴ中は、患者への接近性が低いので、侵襲は困難である。
【００１１】
ＣアーチＸ線システムを用いた血管造影および軟部組織３Ｄ画像を得るための方法および装置が知られている。例えば、頭蓋骨および血管の３Ｄ画像は、造影剤が血管に注入されるシーメンス社の商品名「ＡＸＩＯＭ  ＡＲＴＩＳ  ＦＡ／ＦＢ」によって作成することが可能である。
【発明の開示】
【発明が解決しようとする課題】
【００１２】
本発明は、患者が被る脳卒中のタイプの診断を助けるための装置および方法、特に、診断または治療装置ならびに脳卒中診断方法を提供することを課題とする。
【課題を解決するための手段】
【００１３】
診断または治療装置に関する課題は、本発明によれば、
少なくとも１つの画像化モダリティ（画像化装置）と、
画像化モダリティのデータから画像を描くように構成されたプロセッサ、
患者の動きを検出するセンサ、
患者の動きの影響について画像を補正するように構成されたプロセッサ、
患者モニタ、
血糖分析装置、
血液分析装置、
画像融合ユニット、
コンピュータおよび患者データを入力するためのインターフェイス
の内から選択された２つ以上の装置と
を含み、画像化モダリティと前記２つ以上の装置とがデータインターフェイスを利用して通信を行うことによって解決される。
【００１４】
診断または治療装置に関する本発明の実施態様は次の通り列記される。
画像化モダリティはＣアーチＸ線装置である。
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波画像化モダリティのうちの１つ又はそれ以上から選択される。
患者モニタは、心電図（ＥＣＧ）、呼吸数、血圧または血液酸素飽和度（ＳｐＯ2）のうちの少なくとも１つを測定するように構成されている。
画像融合ユニットは、画像セグメンテーション処理、患者の動きの補正処理、または、複数の画像化モダリティからの画像の融合処理のうち少なくとも１つの処理を実施するように構成されている。
さらに、ローカルエリアネットワークまたは広域ネットワークとのデータインターフェイスが含まれる。
画像化モダリティのデータから画像を描くように構成されたプロセッサと、患者の動きを検出するセンサと、患者の動きの影響について画像を補正するように構成されたプロセッサと、患者モニタと、血糖分析装置と、血液分析装置と、画像融合ユニットとから選択された３つ以上の装置が含まれる。
【００１５】
脳卒中診断方法に関する課題は、本発明によれば、
検査台上に患者を位置決めするステップと、
患者を識別するステップと、
患者モニタのセンサを取り付け患者パラメータを測定して記録するステップと、
画像化モダリティを利用して患者の一部のコンピュータ断層撮影画像を得るステップと、
患者の少なくとも一部の画像を再構成するステップと、
モニタまたはプロジェクタによって画像を表示するステップと
を含むことによって解決される。
【００１６】
脳卒中診断方法に関する本発明の実施態様は次の通り列記される。
画像化モダリティはＣアーチＸ線装置である。
画像化モダリティは、コンピュータ断層撮影装置（ＣＴ）、磁気共鳴画像化装置（ＭＲＩ）、陽電子放出型断層撮影装置（ＰＥＴ）、単一光子放出型コンピュータ断層撮影装置（ＳＰＥＣＴ）、または、超音波装置のうちの少なくとも１つである。
さらに、患者の動きの影響について画像化モダリティからの画像化データを補正する。
さらに、血液値およびマーカを測定する、あるいは、アクセス可能メモリに既に記憶されているそのようなデータを検索する。
さらに、画像化モダリティから得られた画像データをセグメント化する。
さらに、センサによって得られたデータを通信ネットワークを介して伝送する。
データが、搬送波上の情報を変調することによって伝送される。
【００１７】
脳卒中診断方法に関する課題は、本発明によれば、
患者識別情報を受信し、
患者に取り付けられたセンサから得られた患者パラメータを測定して記録し、
超音波を用いる第１の画像化モダリティから画像データを受信し、
電磁放射を用いる第２の画像化モダリティから画像データを受信し、
補正された受信画像データから患者の少なくとも一部の画像を再構成し、
モニタまたはプロジェクタによって画像を表示する
ように構成されたプロセッサを設けるステップが含まれていることによっても解決される。
【００１８】
このような脳卒中診断方法に関する本発明の実施態様は次の通り列記される。
電磁放射を用いる第２の画像化モダリティはＣアーチＸ線装置である。
プロセッサはマシン可読媒体に記憶された命令によって構成される。
さらに、センサから受信したデータを通信ネットワークを介して伝送する。
さらに、患者の動きに関する情報を受信し、患者の動きについて画像データを補正する。
データは搬送波上の情報を変調することによって伝送される。
【００１９】
図面を参照することによって、典型的な実施形態についてより理解を深めることができるであろう。明確にするために、本明細書に記載の実施例に関する通常の特徴が全て解説されるわけではない。もちろん、明らかなことではあるが、こうした実際の実施例の開発において、システムおよびビジネスに関連した制約の遵守のような、開発者によって異なる目標を達成するためには、実施例によって異なる幾多の決定をしなければならないし、これらの目標が実施例によって異なることになる。
【００２０】
診断および治療の個々のステップ間であちらこちらに患者を輸送する必要のない「脳卒中治療装置」について述べる。このような脳卒中治療装置には、患者の診断および監視を実施するためのプラットフォームとして統合された下記のタイプの装置を含むことが可能である。
画像化モダリティと、
画像化モダリティによって得られた軟部組織データおよび血管造影データの少なくとも一方のデータのための画像処理プロセッサ、
患者の動きを検出するセンサ、
患者の動きに関して画像の動き補正を行うためのプロセッサ、
患者モニタ、
画像融合ユニット、
血糖分析装置、
血液分析装置、
患者のデータを入力するためのコンピュータおよびインターフェイス、
ローカルエリアネットワークまたは広域ネットワークとのデータインターフェイス
のうちの１つ又はそれ以上の装置。
【００２１】
画像化モダリティは、ＣアーチＸ線装置、または、ＣＴ（コンピュータ断層撮影装置）、ＭＲＩ（磁気共鳴画像化装置）、ＰＥＴ（陽電子放出型断層撮影装置）、ＳＰＥＣＴ（単一光子放出型コンピュータ断層撮影装置）、超音波装置等のような他の画像化モダリティ、あるいは、今後開発される画像化テクノロジとすることが可能である。
【００２２】
本書に記載のタスクを実施するためのハードウェアとソフトウェアの組み合わせは、プラットフォームまたは「治療装置」と称することにする。プラットフォームのプロセスを実施するための命令はコンピュータ可読記憶媒体またはメモリ（例えば、キャッシュ、バッファ、ＲＡＭ、取り外し可能媒体、ハードドライブまたは他のコンピュータ可読記憶媒体）で与えることができる。コンピュータ可読記憶媒体には各種の揮発性記憶媒体および不揮発性記憶媒体が含まれる。図に例示のまたは本明細書に記載の機能、動作またはタスクは、コンピュータ可読記憶媒体内または上に記憶された１組以上の命令に応答して実行することが可能である。これらの機能、動作またはタスクは、特定タイプの命令セット、記憶媒体、プロセッサまたは処理方式とは無関係にすることが可能であり、単独または組み合わせで機能する、ソフトウェア、ハードウェア、集積回路、ファームウェア、マイクロコード等によって実施することが可能である。これらの機能、動作またはタスクの態様の中には、専用ハードウェアによって、あるいは、オペレータが手動で実施することが可能なものもある。
【００２３】
実施態様の１つでは、命令は、ローカルシステムまたは遠隔システムによる読み取りのために取り外し可能な媒体装置に記憶することが可能である。他の実施態様においては、命令を、遠隔地で記憶し、コンピュータネットワーク、ローカルネットワークまたは広域ネットワークを介して無線技法によってまたは電話回線を通じて転送することが可能である。さらに他の実施態様において、命令はある特定のコンピュータ、システムまたは装置内に記憶されていてもよい。
【００２４】
用語「データネットワーク」、「ウェブ」または「インターネット」が用いられる場合、その意図は、定義済み伝送プロトコルを利用して、多種多様な、おそらく地理的に分散しているエンティティ間の通信を促進するローカルエリアネットワークおよび広域ネットワークの両方を含むインターネットワーキング環境を表わすことにある。こうした環境の一例はワールドワイドウェブ（ＷＷＷ）、および、ＴＣＰ／ＩＰデータパケットプロトコルの利用、および、イーサネット（登録商標）、または、データ経路のいくつかに関する他の既知のまたは今後開発されるハードウェアおよびソフトウェアプロトコルの利用である。
【００２５】
装置、システム、および、アプリケーション間の通信は、有線または無線接続の利用によって可能になる。無線通信には、送信装置と対応する受信装置との間に物理的接続を必要としない音声、無線、光波または他の技術を含むことができる。通信は送信器から受信器への伝送として説明されるが、これは逆経路を排除するものではなく、無線通信装置は送信機能と受信機能との両方を含んでいてもよい。
【発明を実施するための最良の形態】
【００２６】
図１には、治療装置の一例に関するブロック図が示されている。治療装置の他の実施形態には、図１に示す装置または機能の全部の数より少ない数の装置または機能を含むことが可能である。ＣアーチＸ線装置１０は利用可能な画像化モダリティを代表している。ＣアーチＸ線装置１０は、患者２０のＸ線源１１とは反対側に配置されたＸ線検出器１４によって一連の投影Ｘ線画像が得られるように、回転させられる。これらの画像は、断層撮影画像を実現するための任意の処理技術によって再構成される。追加の構成要素または異なる構成要素を設けることも可能であり、または、構成要素を少なくすることも可能である。図示の装置および機能は、代表的なものであって、全てを含んでいるわけではない。個々のユニット、装置または機能は、ケーブルによってまたは無線で互いに通信することが可能であり、接続の一部に用いられている破線は代替接続手段の利用が可能であることを示唆している。
【００２７】
ＣアーチまたはＣアームＸ線ユニットおよび関連する画像処理は、参考までに本明細書において援用されている、２００５年１１月２１日に提出された、「Ａｎｇｉｏｇｒａｐｈｉｃ  Ｘ−ｒａｙ  Ｄｉａｇｎｏｓｔｉｃ  Ｄｅｖｉｃｅ  ｆｏｒ  Ｒｏｔａｔｉｏｎａｌ  Ａｎｇｉｏｇｒａｐｈｙ」と題する米国特許出願公開第２００６／０１２０５０７号明細書に記載のタイプとすることが可能である。このような装置は、例えば、ＣＴ装置に匹敵する血管造影および軟部組織断層撮影画像を作成することが可能であり、同時に、治療手順の間、患者に簡便に接近できるようにすることが可能である。
【００２８】
治療装置のセンサ部分は治療室に配置することが可能であり、信号およびデータ処理およびデータ表示装置の一部または全ても治療室に配置することが可能であるが、患者の検知に直接関係のない装置および機能の一部または全ては遠隔に配置することが可能である。このような遠隔配置は、ローカルエリアネットワーク、広域ネットワークおよびインターネットによる高速データ通信によって促進される。データおよび画像を表わした信号は、光波、無線波、または、有線接続で伝搬する信号のような、電磁信号によるデータの表現を変調することによって伝送可能である。
【００２９】
従って、治療装置は、診断を施し、適切な治療方針を決定する専門医から遠く離して配置することが可能である。もちろん、専門医は患者と一緒にいることも可能である。
【００３０】
図１には、設置可能な装置および機能のいくつかが例示されている。Ｘ線装置１０には、関連する高電圧発生器１２、制御システム１３、および、検出器１４と共に、放射源１１を含むことが可能である。商品名「ＡＸＩＯＭ  Ａｒｔｉｓ  ｄＴＡ  ＤｙｎａＣＴ」（独国エルランゲン市のシーメンス株式会社から入手可能）のようなＸ線システムを利用して、血管造影コンピュータ断層撮影（ＡＣＴ）を実施する場合、操作中に、コンピュータ断層撮影（ＣＴ）に似た画像を得ることが可能である。こうした利用の場合、画像収集は、Ｃアームを約２００度回転させて、約１０秒で行うことが可能である。
【００３１】
一部または全ての検査ステップ中、患者支持台１６を利用して、例えば、各種センサ間において患者２０を移動させるか、あるいは、患者２０を他の位置に位置決めすることが可能である。画像化装置は、ロボット位置決めを行うＣアーチ装置、または、任意の適切なＸ線装置、または、他の電磁画像化モダリティ（例えばＣＴ、ＭＲＩ、ＰＥＴスキャナ）、または、超音波装置とすることが可能であり、診断用画像化および治療目的のために２つ以上の画像化モダリティを利用することが可能である。例えば、治療段階中、Ｘ線装置を利用することも可能である。
【００３２】
検査中、患者２０の動き（モーション）を検出し、画像再構成処理３１の前に、モーションプロセッサ３２においてその動きを考慮に入れるためにモーションセンサ１５を設けることが可能である。モーションセンサ１５は、米国特許出願公開第２００２／０１６３９９４号明細書「Ｉｎ−Ｌｉｎｅ  Ｃｏｒｒｅｃｔｉｏｎ  ｏｆ  Ｐａｔｉｅｎｔ  Ｍｏｔｉｏｎ  ｉｎ  Ｔｒｅｅ−Ｄｉｍｅｎｓｉｏｎａｌ  Ｐｏｓｉｔｒｏｎ  Ｅｍｉｓｓｉｏｎ  Ｔｏｍｏｇｒａｐｈｙ」に記載のような、例えば、画像信号自体から導き出す数学的動き検出器とすることが可能である。もう１つの態様では、モーションセンサは、米国特許第６，６６１，２４０号明細書「Ｍｅｔｈｏｄ  ａｎｄ  Ｓｙｓｔｅｍ  ｆｏｒ  Ｃａｐａｃｉｔｉｖｅ  Ｍｏｔｉｏｎ  Ｓｅｎｓｉｎｇ  ａｎｄ  Ｐｏｓｉｔｉｏｎ  Ｃｏｎｔｒｏｌ」におけるような容量センサ、欧州特許第０９９３８０４号明細書「Ｍｅｔｈｏｄ  ａｎｄ  Ｓｙｓｔｅｍ  ｆｏｒ  ｔｒａｃｋｉｎｇ  ａｎ  ｏｂｊｅｃｔ」におけるような磁気センサ、欧州特許第１０３４７３８号明細書「Ｐｏｓｉｔｉｏｎｉｎｇ  ｂａｓｅｄ  ｏｎ  ｕｌｔｒａｓｏｕｎｄ  ｅｍｉｓｓｉｏｎ」におけるような音響センサ、または、光学または赤外線カメラによっておよびパターン認識の計算方法によって患者の位置を検出することが可能な光学センサとすることが可能である。患者はレーザビームで走査することが可能である。患者の移動またはシフトが求められると、画像処理ユニット３２で補正される。この処理ユニットは、単一プロセッサ内に組み込むこともでき、あるいは、マルチプロセッサとすることも可能であり、処理機能は、ハードウェア、ソフトウェア、または、それらの組合せとして表わすことが可能である。
【００３３】
モーションセンサ１５は有線接続を介してまたは無線形式で画像処理ユニット３２にデータを伝送することができる。検査の開始前に、モーションセンサ１５は、各種検査装置の空間座標に対して較正し、患者支持台１６に対して較正することが可能である。
【００３４】
モーションアーチファクトを除去する機能には、呼吸に起因する動き、心臓の動き（例えば、「ＥＣＧゲーティング」による）および血管の動きを含むことが可能である。呼吸アーチファクトを除去するために、胸部ベルトを利用して適切なセンサを用いることにより呼吸の振幅および頻度を求め、画像処理ユニット３２において、再構成された画像におけるモーションアーチファクトを最小限に抑える補正計算を開始することが可能である。あるいはまた、心電図（ＥＣＧ）信号の包絡線から呼吸の振幅および頻度を計算して、画像プロセッサ３２または画像融合ユニット３１に供給することも可能である。
【００３５】
米国特許第６，２２１，０１２号明細書「Ｔｒａｎｓｐｏｒｔａｂｌｅ  Ｍｏｄｕｌａｒ  Ｐａｔｉｅｎｔ  Ｍｏｎｉｔｏｒ  ｗｉｔｈ  Ｄａｔａ  Ａｃｑｕｓｉｔｉｏｎ  Ｍｏｄｕｌｅｓ」に記載のような、あるいは、製品として商品名「Ｉｎｆｉｎｉｔｙ  Ｇａｍｍａ」（独国リューベック市のドレーガー  メディカル  ドイチュラント有限会社から入手可能）のような患者モニタ４０によって、血圧、心拍数、酸素飽和度およびＥＣＧを検知することが可能であり、これらのデータは、画像および各種センサから得られた他のデータと共に、メモリ８０に記憶することが可能である。
【００３６】
超音波装置５０（例えば、Ｓｏｎｏｓｉｔｅ、ｈｔｔｐ：／／ｗｗｗ．ｓｏｎｏｓｉｔｅ．ｃｏｍからのｉＬｏｏｋ装置、および／または、ＰｒｉｍｅｄｉｃからのＨａｎｄｙＳｃａｎ）を用いて、深刻な狭窄または閉塞の検出、脳出血の予備診断、および、穿刺ノズルのセッティングおよび誘導のために、心臓動脈の二重超音波検査を実施することが可能である。さらに、超音波装置５０の場合、Ｘ線を放射することなく、血栓溶解治療の進捗状況を見守ることが可能である。
【００３７】
米国特許出願公開第２００４／０２４９２７９号明細書「Ｐａｔｉｅｎｔ  Ｍｉｎｉｔｏｒ  ｆｏｒ  Ｐｒｏｃｅｓｓｉｎｇ  Ｓｉｇｎａｌｓ  ｆｒｏｍ  ａｎ  Ｕｌｔｒａｓｏｕｎｄ  Ｐｒｏｂｅ」に記載のように、患者モニタ４０と超音波装置５０とを１つのユニットに統合してもよい。もう１つの態様では、まだ公開されていない独国特許出願第１０２００５０３１６４２．５号に記載のように、患者モニタ４０と、超音波装置５０と、除細動器（図示されていない）とを１つのユニットに統合してもよい。
【００３８】
脳卒中は心房細動によって引き起こされる可能性がある。深部静脈血栓症の場合のように、塞栓は静脈系で発生する可能性がある。脳血管塞栓は、心臓シャントを取り付けた患者、心房中隔欠損のある患者、または、卵円孔遺残のある患者に生じる可能性もある。従って、とりわけ心房細動を生じた患者にはＴＥＥ（経食道心エコー）検査を実施することが可能である。従って、経食道心エコー検査を実施するのに適したＴＥＥ超音波装置６０を、装置の残りと一体化することもあり得る。ＴＥＥ装置は、例えば、米国特許第６，１４２，９４１号明細書「Ｄｅｖｉｃｅ  ｆｏｒ  Ｃａｒｒｙｉｎｇ  Ｏｕｔ  ａ  Ｔｒａｎｓｏｅｓｏｐｈａｇｅａｌ  Ｅｃｈｏｃａｒｄｉｏｇｒａｐｈｙ  ａｎｄ  ａ  Ｃａｒｄｉｏｖｅｒｓｉｏｎ」によって知られている。
【００３９】
もう１つの態様では、シーメンス株式会社（独国エルランゲン市）の商品名「ＡＣＵＮＡＶ」カテーテル６２を利用することができる。このカテーテル６２は、静脈系を介して心臓に送り込まれ、心室から超音波画像を作成するのに利用することができる。ＴＥＥ検査のための音響ヘッドまたはカテーテルと体外音響ヘッドの両方に超音波装置を設けてもよい。
【００４０】
画像融合ユニット３１または機能（記録、セグメント化、スーパーインポーズ）によって、異なる画像化装置からの情報を組み合わせることができる。例えば、ソノグラムは、２Ｄ、３Ｄ、または、４Ｄ画像表現のＸ線および血管造影画像と融合させることができる。
【００４１】
Ｒｏｃｈｅ  Ｄｉａｇｎｏｓｔｉｃｓ有限会社（独国マンハイム市）による商品名「Ａｃｃｕ−Ｃｈｅｃｋ」のようなコンパクトな血糖分析装置５３を利用して、血糖値を測定することができる。さらに、シーメンス株式会社によって開発されている商品名「Ｌａｂ  ｏｎ  ａ  Ｃｈｉｐ」のような血液分析装置５４を利用して、それ以外の血液値またはいくつかの遺伝標識または分子マーカを測定することもできる（例えば、脳卒中に関する遺伝子検査および分子マーカによる試験については、国際公開第００／５６９２２号パンフレット「Ｇｅｎｅｔｉｃ  Ｐｏｌｙｍｏｒｐｈｉｓｍ  ａｎｄ  Ｐｏｌｙｍｏｒｐｈｉｃ  Ｐａｔｔｅｒｎ  ｆｏｒ  Ａｓｓｅｓｓｉｎｇ  Ｄｉｓｅａｓｅ  Ｓｔａｔｕｓ，ａｎｄ  Ｃｏｍｐｏｓｉｔｉｏｎｓ  ｆｏｒ  Ｕｓｅ  Ｔｈｅｒｅｏｆ」、および、西独国特許第６９９１９８８５号明細書「Ｍｅｔｈｏｄ  ｆｏｒ  Ｍｅａｓｕｒｉｎｇ  Ｃｅｌｌｕｌａｒ  Ａｄｈｅｓｉｏｎ」を参照されたい）。さらに、利用可能な装置および方法の例として、国際公開第２００５／１０６０２４号パンフレット「Ｍｅｔｈｏｄ  ａｎｄ  Ａｓｓｅｍｂｌｙ  ｆｏｒ  ＤＮＡ  Ｉｓｏｌａｔｉｏｎ  ｗｉｔｈ  Ｄｒｙ  Ｒｅａｇｅｎｔｓ」、および、国際公開第２００５／１０６０２３号パンフレット「ＰＣＲ  Ｐｒｏｃｅｓｓ  ａｎｄ  Ａｒｒａｎｇｅｍｅｎｔ  ｆｏｒ  ＤＮＡ  Ａｍｐｌｉｆｉｃａｔｉｏｎ  ｕｓｉｎｇ  Ｄｒｙ  Ｒｅａｇｅｎｔｓ」も参照されたい。医療知識が増すにつれて、治療室にさらなる試験装置および方法を追加することが可能になる。
【００４２】
コンピュータ装置７０は、商品名「ＳＩＭｐａｄ」（独国エルランゲン市のシーメンス株式会社製）のようなノートブック、または、患者の人口統計、病歴、診断および／または治療に関するデータを記録し要求し病院の医療情報管理システムとそれらのデータのやりとりを行うことができる他の処理装置とすることが可能である。コンピュータ装置７０は、ＨＭＯ（健康維持機関）または健康保険証からデータを読み出すためのインターフェイスを備えることもでき、あるいは、無線接続によって治療室の残りの装置に接続することも可能である。手動入力および制御のために、キーボード、コンピュータディスプレイ装置およびマウスのようなユーザ入力装置７１を設けることが可能である。さらに、このコンピュータ装置において、投与済み薬剤または未投与薬剤を含めて、既に施された検査および治療措置を文書化することが可能である。データの一部または全ては、診断、請求書作成および管理の目的に利用するために、あるいは、ＤＩＣＯＭおよびＳＯＡＲＩＡＮのような既知のインターフェイス、または、専用のまたは今後開発されるデータフォーマッティングおよび処理技法を利用したさらなる画像処理および記憶のために、別のエンティティに転送することが可能である。ＳＯＡＲＩＡＮは、臨床治療、財務、画像、および患者管理機能を統合し、患者情報の検索および記憶、および、分析タスクの実行を容易にする医療用ウェブブラウザベースの情報管理システムである（ペンシルベニア州マルヴァーン市のＳｉｅｍｅｎｓ  Ｍｅｄｉｃａｌ  Ｓｏｌｕｔｉｏｎｓ  Ｈｅａｌｔｈ  Ｓｅｒｖｉｃｅ  Ｃｏｒｐｏｒａｔｉｏｎから入手可能である）。
【００４３】
脳卒中治療装置は下記に要約された段階に従って任意の所望の順序で操作することができる。異なる段階、追加の段階またはもっと少ない段階を実施することもできる。
【００４４】
患者を脳卒中治療装置まで運んで識別することが可能である。患者を識別するためのデータは、手動で、または、ＤＩＣＯＭ（医用ディジタル通信）のようなインターフェイスを介して健康保険証または他の識別カードを読み取ることによって、あるいは、オプションにより患者に面接して人口統計学的データおよび病歴データを入力するか、または、アクセス可能なメモリに既に記憶されている場合にはこのようなデータを検索することによって得られる。識別番号（ＩＤ）が患者とまだ対応付けられていない場合、患者には自動または手動でこのような識別番号が割り当てられる。患者モニタのセンサが取り付けられ、ＥＣＧ、血圧およびＳｐＯ2のような患者パラメータが測定され記録される。血糖値が測定され記録されるか、あるいは、既存の臨床検査結果が呼び出される。その他の血液値（凝固因子のような）およびマーカを測定または呼び出すことが可能である。患者は検査台上に配置される。オプションの超音波造影剤の利用を含む超音波検査が実施され記録される。ＣＴ（コンピュータ断層撮影）、Ｘ線または他の画像診断検査が実施され記録される。ＣアーチＸ線装置を用いることによって、造影剤を用いるか又は用いない少なくとも２つの投影画像を利用した少なくとも１８０°の方位角にわたる回転Ｘ線画像が得られ記録される。得られた画像データはモーションアーチファクトの補正を施すことができる。３Ｄボリューム画像または２Ｄ画像を作成または再構成することができる。これらの画像はモニタまたはプロジェクタによって表示することができる。
【００４５】
オプションにより、例えば、画像プロセッサ３１におけるセグメント化、記録またはスーパインポーズによって、軟部組織画像および造影剤強化画像を融合することが可能である。各種センサから個々にまたは組み合わせて得られるデータおよび画像（２Ｄ、３Ｄ、４Ｄ、スーパインポーズ、セグメント化等）は、治療室内に配置することが可能であるビジュアルディスプレイ１００で表示することもでき、あるいは、患者から任意の物理的距離をあけることが可能な遠隔地で同様に再現することができる。
【００４６】
もう１つの実施形態において、脳卒中診断方法には、患者識別に関連した情報を受信して処理し、患者に取り付けられたセンサから得られたパラメータを測定して記録し、血糖値を測定するかまたは呼び出すように構成されたプロセッサを設ける段階が含まれている。超音波装置または電磁放射（Ｘ線を含む）を利用した画像化モダリティから追加データを受信することができる。画像化データは、モーションセンサからのデータを利用して補正し、例えば、少なくとも患者の一部の３Ｄボリューム画像に形成することができる。この画像はディスプレイモニタまたはプロジェクタに伝送することができる。
【００４７】
ある観点では、この方法の超音波画像化部分を用いて、例えば、脳出血を排除し、狭窄を識別するための頚動脈検査を実施することができる。代替として、同様の目的に放射線検査を利用することもできる。経食道心エコー検査（ＴＥＥ）を実施することも可能である。造影剤を使わずに、ＣＴまたはＣアームＸ線ＣＴ検査を実施して、出血を見つけるか（治療経路Ａ）または出血を排除する（治療経路Ｂ）ことができる。代替的にまたは補足的に、造影剤を用いて頭蓋骨の神経系放射線検査を実施して、出血を見つけるか（治療経路Ａ）または出血を排除する（治療経路Ｂ）こともできる。
【００４８】
治療経路Ａは、出血性脳卒中に利用することができ、穿刺によって脳から血液を除去して頭蓋骨内の圧力を低下させるステップを含むことができる。破裂した動脈瘤からの出血の場合、患部血管を手術することもあり得る。外科的侵襲には、脳圧力を測定するためのプローブの移植（例えば、患者モニタに接続可能である）、および、圧力を除去する頭蓋開口を含むことができる。脳神経外科の場合、頭蓋開口には、頭蓋骨内部に外科的侵襲を施すか、あるいは、頭蓋骨の内圧を低下させるために頭蓋骨の外科的開口が必要になる。オプションにより、出血は血液凝固を促進する薬剤を用いて抑えられるかまたは止められる。
【００４９】
クモ膜下出血または破裂した脳動脈瘤による出血の場合、控えめな治療法の選択肢だけではなく、金属クリップで留めることによって、破裂した動脈瘤からの出血源を閉じることを意図した早期手術、または遅延手術のような脳外科的侵襲も利用される。他の治療法を利用してもよい。
【００５０】
治療は、造影剤を用いないあるいはオプションにより造影剤を用いた電磁画像化および／または超音波画像によって監視することができる。
【００５１】
治療経路Ｂは、虚血性脳卒中に用いられ、ｒＴＰＡ（遺伝子組み換え型組織プラスミノゲン活性化因子）の投与を含むことができる。治療は、造影剤を用いないあるいはオプションにより造影剤を用いた電磁画像化および／または超音波画像によって監視することが可能である。他の治療法を用いることも可能である。
【００５２】
治療経路ＡまたはＢに関する治療の終末には、統合コンピュータ装置において診断および治療を文書化する段階、監視に適した位置に患者を移送する段階、できればＳＯＡＲＩＡＮまたはＤＩＣＯＭのような医療データネットワークを介して、文書化された診断および治療データおよび他のデータを送る段階、すなわち、モダリティによって実施される手順ステップ（ＭＰＰＳ）を含むことが可能である。
【００５３】
オプションにより、患者の退院前に、対照ＣＴを実施してもよい。
【００５４】
本明細書に開示の方法は、特定の順序で実施される特定のステップに関連して解説され示されてきたが、もちろん、これらのステップを組み合わせ、再分割し、あるいは、記録して、本発明の教示から逸脱することなく、同等の方法を形成することが可能である。従って、特に指示のない限り、このステップの順序およびグループ分けは本発明を制限するものではない。
【００５５】
上記では、本発明のいくつかの典型的な実施形態について詳述したが、当該技術者にはすぐに分かるように、本発明の新規の教示および利点をほとんど逸脱することなく、典型的な実施形態に多くの修正を加えることが可能である。従って、こうした修正は、付属の請求項において規定される本発明の範囲内に含まれることを意図されている。
【図面の簡単な説明】
【００５６】
【図１】治療室の一例を示すブロック図
【符号の説明】
【００５７】
１０  ＣアーチＸ線装置
１１  Ｘ線源
１２  高電圧発生器
１３  制御システム
１４  Ｘ線検出器
１５  モーションセンサ（動き検出器）
１６  患者支持台
２０  患者
３１  画像融合ユニット
３２  画像処理ユニット
４０  患者モニタ
５０  超音波装置
６０  ＴＥＥ超音波装置
６２  カテーテル
７０  コンピュータ装置
７１  ユーザ入力装置
８０  メモリ
１００  ビジュアルディスプレイ
【図１】
2008073523.tif 000003